(57)【要約】【課題】足のむくみを予防，緩和する繊維加工剤，その加工繊維製品を提供することを目的とする。【解決手段】メリロートエキス，赤ブドウ葉エキス及び西洋ヤナギエキスのうち１種類以上を繊維に処理することにより足のむくみを予防，緩和する繊維加工が可能になる。【選択図】  なし【特許請求の範囲】
【請求項１】
メリロートエキス，赤ブドウ葉エキス及び西洋ヤナギエキスのうち１種類以上を処理したことを特徴とする繊維製品
【請求項２】
メリロートエキス，赤ブドウ葉エキス及び西洋ヤナギエキスのうち１種類以上を含有する加工液を処理することを特徴とする請求項１記載の繊維製品の処理方法
【請求項３】
メリロートエキス，赤ブドウ葉エキス及び西洋ヤナギエキスのうち１種類以上を含有する加工液をバインダーと併用処理することを特徴とする請求項１記載の繊維製品の処理方法
【発明の詳細な説明】
【０００１】
【発明の属する技術分野】
本発明は足のむくみを予防，緩和する作用を有するメリロートエキス，赤ブドウ葉エキス及び西洋ヤナギエキスのうち１種類以上の成分を加工した繊維製品及び加工方法に関するものである。
【０００２】
【従来の技術】
長時間の立ち仕事や歩行により、足がむくむことがある。足のむくみは疲労感を伴い、ストレスとなってしまう。むくみをとる方法として、足を上げて仰向けになったり、入浴，マッサージ等がある。またむくみの予防としてサポーター，ストッキング等を用いた方法（特願２０００−０６２１４７等）やむくみを緩和する薬剤の塗布（特願平０５−０６９６１３，特願平０８−３４０８７等）、アミノ酸の経口摂取（特願２００２−０６７８５５）が考えられている。
【０００３】
薬剤の塗布は、有効成分を直接患部に作用させる効果的な方法であるが、一時的な効果であり、衣類，皮膚を汚してしまう。そこで本発明者は、むくみを緩和する薬剤の繊維加工について着目し、検討を行った。むくみ防止剤の繊維加工については、特願平０９−１８９２５１で消炎作用，鎮痛作用を持つ生理活性物質のマイクロカプセル化剤が挙げられているが、十分な効果は得られていない。
【０００４】
【発明が解決しようとする課題】
本発明は足のむくみを予防，緩和する繊維加工剤，その加工繊維製品を提供することを目的とする。
【０００５】
【課題を解決するための手段】
本発明者は足のむくみを効果的にとる素材のスクリーニングから始め、メリロートエキス，赤ブドウ葉エキス及び西洋ヤナギエキスが足のむくみをとる事に関して充分な効果があることを見い出した。
【０００６】
メリロートエキスは、アジア，ヨーロッパ等の温帯域を原産とするマメ科植物メリロート（学名：Ｍｅｌｉｌｏｔｕｓ  ｏｆｆｃｉｎａｌｉｓ）の茎部，葉部から抽出された物質である。ドイツ保健省発行の植物治療薬指針（Ｋｏｍｉｓｓｉｏｎ  Ｅ  Ｍｏｎｏｇｒａｇｈ）では内服では静脈不全症に起因する疾患，外用では打撲，捻挫に有効と記載されている。
【０００７】
赤ブドウ葉エキスは、ワイン用のブドウ（Ｖｉｔｉｓ  ｖｉｎｉｆｅｔａ）の葉を適当なサイズにカットし、３０％エタノール水で加温浸出して調整したもので、フランス薬局方に収載されている。
【０００８】
西洋ヤナギエキスは、西洋ヤナギ（Ｓａｌｉｘ  ｐｕｒｐｒｅａ  Ｌ．）の樹皮と新芽を乾燥し、精製水で抽出したエキスであり、ヨーロッパ薬局方に収載されている。
【０００９】
【発明の実施の形態】
本発明に用いられる繊維製品とは、天然繊維，合成繊維，再生繊維を単独或いは混合して作られる糸、又は糸よりなる織物，編み物，不織布等であるが、特に限定されるものではない。
【００１０】
また本発明のメリロートエキス，赤ブドウ葉エキス及び西洋ヤナギエキスの内１種類以上含有する加工液を繊維製品に処理する際には、柔軟剤、抗菌剤、防カビ剤、防虫剤、防炎剤、帯電防止剤、撥水剤、消臭剤、遠赤外線加工剤、紫外線防止剤等の機能加工剤と併用することも可能である。
【００１１】
メリロートエキス，赤ブドウ葉エキス及び西洋ヤナギエキスの内１種類以上を水に乳化する際には、予め有機溶剤等に溶解し、界面活性剤を用いて乳化することが好ましいが、メリロートエキス，赤ブドウ葉エキス及び西洋ヤナギエキスの内１種類以上を界面活性剤を用いて水に分散することも可能である。また乳化されたエキス類をメラミン等高分子化合物の皮膜を用いたマイクロカプセル化剤も加工液として用いることも可能である。
【００１２】
本発明の繊維製品の処理方法としては、水に不溶なメリロートエキス，赤ブドウ葉エキス及び西洋ヤナギエキスの内１種類以上を予め有機溶剤等に溶解した後、界面活性剤を用いて水に乳化し、その加工液中に繊維製品を浸漬して処理する。加工液の処理量は、繊維重量に対して絞り率３０〜１２０％が好ましいが特に限定されない。乾燥工程は８０〜２００℃で１〜５分間行う。加工液を繊維製品に処理する方法としては、浸漬以外にも塗布，噴霧して処理する方法があるが、特に限定されない。
【００１３】
繊維製品に処理する加工液の濃度としては、メリロートエキス，赤ブドウ葉エキス及び西洋ヤナギエキスの内１種類以上の濃度が０．０１〜１０重量％であることが好ましいが、特に限定されない。
【００１４】
また、メリロートエキス，赤ブドウ葉エキス及び西洋ヤナギエキスの内１種類以上の加工液を長期間繊維に付着させる方法、耐洗濯性を向上させる方法としては、自己架橋型アクリル酸エステルあるいは分子内にカルボキシル基を有する共重合樹脂、アクリル・シリコン共重合樹脂、ウレタン樹脂、メタアクリル酸樹脂の１種または２種以上からなる樹脂を併用して繊維材料に処理する方法が有効である。
【００１５】
【実施例】
以下実施例により詳細説明する。しかし、本発明はこれらの実施例に限定されるものではない。
【００１６】
（実施例１）
メリロートエキス１ｇをエタノール４ｇに溶解した後、オレイルアルコール５ｇを加えた。これにノニオン系界面活性剤（ＢＯ−７：日光ケミカルズ（株））を２ｇ加え、水８８ｇ中にホモミキサーで乳化した。
【００１７】
（実施例２）
赤ブドウ葉エキス１ｇをエタノール４ｇに溶解した後、オレイルアルコール５ｇを加えた。これにノニオン系界面活性剤（ＢＯ−７：日光ケミカルズ（株））を２ｇ加え、水８８ｇ中にホモミキサーで乳化した。
【００１８】
（実施例３）
西洋ヤナギエキス１ｇをエタノール４ｇに溶解した後、オレイルアルコール５ｇを加えた。これにノニオン系界面活性剤（ＢＯ−７：日光ケミカルズ（株））を２ｇ加え、水８８ｇ中にホモミキサーで乳化した。
【００１９】
（むくみ防止効果の評価）
実施例１，実施例２及び実施例３で得られた乳化物または実施例１，実施例２及び実施例３で得られた乳化物の混合液にアクリル・シリコン樹脂（ファイコート３０Ｇ：大和化学工業（株））２％添加した加工液を調整した。これらの加工液を市販ストッキング（８．４ｇ）に対してしぼり率３０％で処理した後、１２０℃で５分間乾燥した。
この試料を被験者各１０名にてむくみ防止効果を確認した。被験者５名が着用し、むくみの防止効果を下記の式にて判定した。その結果を表１に示す。
むくみ防止率＝〔（Ｌ２−Ｌ０）／（Ｌ１−Ｌ０）〕×１００
Ｌ０：むくんでいない時のふくらはぎの太さ（ｍｍ）
Ｌ１：むくんでいる時のふくらはぎの太さ（ｍｍ）
Ｌ２：処理品又は未処理品を通常むくんでしまう時間まで着用した時のふくらはぎの太さ（ｍｍ）
【００２０】
【表１】
2005015979.tif 000002
【００２１】
【発明の効果】
むくみ防止効果のあるメリロートエキス，赤ブドウ葉エキス及び西洋ヤナギエキスを繊維に加工することにより、むくみの緩和において充分な効果を得ることが可能である。